(57)【要約】  本発明は火災避難待避施設を開示する。本発明は火災の発生時、待避者が非常口やその他待避手段で避難できない場合、救助隊が到着するまで火炎及び有毒ガスから安全に保護され、施設が雨に露出されて損傷されることを防止し、見掛けが美麗でありながらより速やかに設置作業を行うようにし、選択的に層間移動ができる火災避難待避施設の提供をその技術的特徴とする。火災避難待避施設は、四角フレーム形状で、ベランダ（１）の手摺り（１１）に固定され、正面には入口ドア（２１）を備えるフレーム（２）と、フレーム（２）の後方に出口ドア（３１）が形成される背面パネル（３）と、二つの側面パネル（４）と、底面パネル（５）と、上面パネル（６）とがボックス型に形成され、蛇腹形式に折畳まれるように形成される。
2014520225.tif 000002
【特許請求の範囲】
【請求項１】
四角フレーム形状で、ベランダ（１）の手摺り（１１）に固定され、正面には入口ドア（２１）を備えるフレーム（２）と、前記フレーム（２）の後方に出口ドア（３１）が形成される背面パネル（３）と、二つの側面パネル（４）と、底面パネル（５）と、上面パネル（６）とがボックス型に形成され、蛇腹形式に折畳まれるように形成される火災避難待避施設において、
前記フレーム（２）の外面に密着固定される四角フレーム形状を有し、後方に延長され、後方端部は内側に垂直折曲される第１密着折曲部（７１）を備える前面カバー（７）と；前記背面パネル（３）の背面に固定装着されて、前記出口ドア（３１）の開閉に差し支えないように貫通された孔（８１）が形成され、外縁部は前方に垂直折曲され、その端部は内側に垂直折曲されて、前記火災避難待避施設が完全に折畳まれた時、前記第１密着折曲部（７１）と密着する第２密着折曲部（８２）を備える後面カバー（８）とを含んで構成されることを特徴とする火災避難待避施設。
【請求項２】
前記前面カバー（７）の上下及び左右面は後方に行くほどその外縁が広がるように傾斜して延長された後再び段差を有して縮小される火炎誘導翼（７２）をさらに備えることを特徴とする請求項１に記載の火災避難待避施設。
【請求項３】
前記第１密着折曲部（７１）または第２密着折曲部（８２）の中の何れか一つは他の一つよりさらに内側に延長された後再び垂直に折曲されて小幅延長されて、また外側に垂直に折曲されて形成される排水部（８３）をさらに備えることを特徴とする請求項１または請求項２に記載の火災避難待避施設。
【請求項４】
前記前面カバー（７）の後方端部に隣接して内側に分岐されて延長された後、再び後方に延長され、その間に背面外周に沿って溝が形成されるようにするシーリング装着リブ（７３）が形成され；前記後面カバー（８）の正面端部は内側に垂直折曲されてから再び前方に垂直折曲され、その端部が前記シーリング装着リブ（７３）に形成された溝に挿入される結合リブ（８４）が形成され、前記挿入された結合リブ（８４）の外面を囲むようにするシーリング部材（８）が前記シーリング装着リブ（７３）に挿入されて固定されることを特徴とする請求項１または請求項２に記載の火災避難待避施設。
【請求項５】
ベランダ（１’）の手摺り（１１’）の一側に装着されて、ボックス型に折畳まれて、火災などの危急状況で内部に待避することができる火災避難待避施設において、
四角フレーム形状で、ベランダ（１’）の手摺り（１１’）に固定され、正面に装着されてスライド方式で開閉され、正面に突出された取っ手（２１’）を備える一対の入口ドア（２２’）を備えるフレーム（２’）と；前記フレーム（２’）の後方で四角板形状に構成され、下端と上端はそれぞれ前方に垂直折曲されて、下部段差（３１’）及び上部段差（３２’）を形成し、中央には外部で開放することができる出口ドア（３３’）が形成される背面パネル（３’）と；垂直二等分される第１側面パネル（４１’）及び第２側面パネル（４２’）からなり、前記第１側面パネル（４１’）及び第２側面パネル（４２’）は数個の第１蝶番（４３’）によって折畳み可能に連結され、前方と後方はそれぞれ数個の第２蝶番（４４）及び第３蝶番（４５’）によって前記フレーム（２’）の内側後方及び前記背面パネル（３’）の一側端と折畳み可能に連結される二つの側面パネル（４’）と；前記フレーム（２’）の内側下端に形成される数個の第４蝶番（５１’）に一側端が装着され、貫通された少なくとも一つ以上の空気流入孔（５２’）及びこれを開閉可能な開閉板（５３’）が形成され、開いた時、前記背面パネル（３’）の下部段差（３１’）に係止されて底面を構成する底面パネル（５’）と；前記フレーム（２’）の内側上端に形成される数個の第５蝶番（６１’）に一側端が装着され、開いた時、前記背面パネル（３’）の上部段差（３２’）の底面に密着される上面パネル（６’）と；一端は前記背面パネル（３’）の上部段差（３２’）の上面に固定され、他側は前記フレーム（２’）に形成されたガイド孔（２３’）を貫通し、端部には取っ手部（７１’）を形成し、全てのパネルが折畳まれた状態で前記ガイド孔（２３’）を通過した後、垂直の下に折曲されるようにするヒンジ（７２’）によって二等分された長いバー形状の開閉バー（７’）とで構成されることを特徴とする火災避難待避施設。
【請求項６】
前記フレーム（２’）には、内側面に一端が固定され、他側端は前記上面パネル（６’）に固定されて上面パネル（６’）が開かれる方向に力が作用するエア吸収体（２４’）がさらに装着されることを特徴とする請求項５に記載の火災避難待避施設。
【請求項７】
前記底面パネル（５’）の両側の前記側面パネル（４’）と密着する部分には摩擦を最小化するための少なくても二つ以上のキャスター（５４’）がさらに装着されることを特徴とする請求項５に記載の火災避難待避施設。
【請求項８】
前記開閉バー（７’）が前記一対の入口ドア（２２’）の間に密着された時、下部には両側取っ手（２１’）が挿入される挿入溝（８１’）を備え、前記開閉バー（７’）及び入口ドア（２２’）を固定するキープレート（８’）をさらに備えることを特徴とする請求項５に記載の火災避難待避施設。
【請求項９】
前記フレーム（２’）には内側上端に一側が固定され、他側は底面パネル（５’）の前記下部段差（３１’）と密着する両側端に隣接して固定され、その長さは前記底面パネル（５’）が水平以上に開かれないようにする長さを有するワイヤ（２５’）がさらに装着され；前記フレーム（２’）と連結される第１側面パネル（４’）には長管形状に構成されて、底面パネル（５’）が開いた時前記ワイヤ（２５’）の経路にあたる対角線に装着されて、内部をワイヤ（２５’）が貫通するようにするワイヤガイド（４６’）がさらに装着されることを特徴とする請求項５に記載の火災避難待避施設。
【請求項１０】
前記それぞれのパネル（２’、３’、４’、５’、６’）の外面には断熱材（９’）が付着されることを特徴とする請求項５〜請求項９の中の何れか一項に記載の火災避難待避施設。
【請求項１１】
ベランダ（１”）の手摺り（１１”）の一側に装着され、ボックス型に折畳まれて、火災などの危急状況で内部に待避することができる火災避難待避施設において、
四角フレーム形状で、ベランダ（１”）の手摺り（１１”）に固定され、正面に装着されてスライド方式で開閉され、正面に突出された取っ手（２１”）を備える一対の入口ドア（２２”）を備え、上面には垂直に貫通された一対の第１梯子固定孔（２３”）が形成されるフレーム（２”）と；前記フレーム（２”）の後方で四角板形状に構成され、外周に沿って前方に垂直折曲される係止段差部（３１”）が形成され、中央には出口ドア（３２”）が形成される背面パネル（３”）と；垂直二等分される第１側面パネル（４１”）及び第２側面パネル（４２”）からなり、前記第１側面パネル（４１”）及び第２側面パネル（４２”）は相互数個の第１蝶番（４３”）によって対応する内側に折畳み可能に連結され、前方と後方はそれぞれ数個の第２蝶番（４４）及び第３蝶番（４５”）によって前記フレーム（２”）の内側後方及び前記背面パネル（３”）の一側端と折畳み可能に連結される二つの側面パネル（４”）と；前記フレーム（２”）の内側下端に形成される数個の第４蝶番（５１”）に一側端が装着され、貫通された少なくとも一つ以上の空気流入孔（５２”）及びこれを開閉可能な開閉板（５３”）が形成され、四角板形状に構成され、一側で押した時スライド式に底面一部を開放する下部スライドドア（５４”）を備え、前記下部スライドドア（５４”）で前記入口ドア（２２”）側には垂直に貫通された一対の第２梯子固定孔（５５”）が形成され、開いた時、前記背面パネル（３”）の下端に位置した係止段差部（３１”）に係止されて、底面を構成する底面パネル（５”）と；前記フレーム（２”）の内側上端に形成される数個の第５蝶番（６１”）に一側端が装着され、四角板形状に構成されて、一側で押した時スライド式に底面一部を開放する上部スライドドア（６２”）を備え、開いた時、前記背面パネル（３”）の上端に位置した係止段差部（３１”）の底面に密着される上面パネル（６”）と；前記入口ドア（２２”）の内側に備え、上部は前方に曲線を成しながら曲がる挿入フック（７１”）が形成され、その端部が前記第２梯子固定孔（５５”）に挿入され、下端は下層に設置された装置の第１梯子固定孔（２３”）に挿入される非常梯子（７”）とで構成されることを特徴とする火災避難待避施設。
【請求項１２】
前記フレーム（２”）の内側面に一端が固定され、他側端は前記上面パネル（６”）に固定されて、上面パネル（６”）が開かれる方向へ力が作用する一対の第１エア吸収体（２４”）と；前記フレーム（２”）の内側面に一端が固定され、他側端は前記底面パネル（５”）に固定されて、底面パネル（５”）が開かれる方向へ力が作用する一対の第２エア吸収体（２５”）と；前記フレーム（２”）の後方下端に一端が固定され、他側端は後方に位置した第２側面パネル（４２”）の下端に装着されて、前記第１側面パネル（４１”）及び第２側面パネル（４２”）が開かれる方向へ力が作用する一対の第３エア吸収体（２６”）とがさらに装着されることを特徴とする請求項１１に記載の火災避難待避施設。
【請求項１３】
前記第１側面パネル（４１”）及び第２側面パネル（４２”）を連結する第１蝶番（４３”）の回転軸には前記第１側面パネル（４１”）及び第２側面パネル（４２”）が開かれる方向へ力が作用するトーションスプリング（４６”）が装着されることを特徴とする請求項１１または１２に記載の火災避難待避施設。
【請求項１４】
前記入口ドア（２２”）とフレーム（２”）の密着面に沿って有害ガス及び煙が内部に入ることを防止するガスケット（２７”）が装着されることを特徴とする請求項１１に記載の火災避難待避施設。
【請求項１５】
前記背面パネル（３”）の前方上端には、「Ｕ」字状に分かれた二箇所は後方に延長されて前記背面パネル（３”）を貫通し、端部に形成される孔にロックキングピン（８１”）が挿入されて固定されるロッキング部材（８２”）と；前記フレーム（２”）の内側上部に固定されて、前記ロッキング部材（８２”）の前方端部が挿入されるロッキング溝（８３”）を備えるロッキングブラケット（８４”）と；前記ロッキングブラケット（８４”）に回転可能に装着され、一端にはロッキング部材（８２”）が前記ロッキング溝（８３”）に進入した時相応して離脱を防止するようにする係止部（８５”）を備え、他側端にはワイヤ連結部（８６”）を備える回転リンク（８７”）と；前記回転リンク（８７”）のワイヤ連結部（８６”）に一端が固定されて、上昇した後下降され、端部にはロッキング解除取っ手（８８”）を備える第１ワイヤ（８９”）とで構成されるロッキング手段（８”）をさらに備えることを特徴とする請求項１１に記載の火災避難待避施設。
【請求項１６】
前記第１側面パネル（４１”）の上端の第２側面パネル（４２”）と隣接した所に一端が固定され、他側端はフレーム（２”）の内側上端中央部分に延長されて一対のワイヤ貫通孔（９１”）を通過した後下部に垂れ下がる二つの第２ワイヤ（９２”）と；この第２ワイヤ（９２”）の垂れ下がる両端部が固定される取っ手（９３”）とで構成される折畳み手段（９”）をさらに備えることを特徴とする請求項１１に記載の火災避難待避施設。
【発明の詳細な説明】
【技術分野】
【０００１】
本発明は火災避難待避施設に関するもので、さらに詳しくは、火災の発生時、非常口やその他の待避手段で避難できない場合、救助隊が到着するまで火炎及び有毒ガスから安全に保護され、施設が雨に露出されて損傷されることを防止し、見掛けが美麗でありながら、設置作業がより速やかに行われるようにし、選択的に層間移動ができるようにした火災避難待避施設に関するものである。
【背景技術】
【０００２】
大多数の人口が都市の限られた空間に集中して住んでおり、仕事をするために日々に高層ビルが増えている。
【０００３】
このような高層ビルは火災が発生する場合、人々へ致命的な被害が憂慮されるので、非常口及び防火戸の設置が義務化されており、また緩降機など各種待避手段が設けられているが、緩降機の場合、その使い方を熟知している人が極めて少なく、また非常時に使おうとしても恐怖感を感じる場合が多い。
【０００４】
また、火災の際、非常口に多く人が殺到して避難することが困難であり、非常口には防火戸を設置して火炎や煙が非常口を通じて流入されないようにしているが、大部分の防火戸は手動で閉め、閉まらない場合が多い。この場合、非常口は煙突の役割を果たして、むしろ火災が拡散される虞がある。このような理由から待避できなかった人々は火炎、火炎より致命的な有毒ガスに無防備で露出されて多くの人命被害が発生する実情である。
【０００５】
そこで、本出願人は大韓民国登録特許第１０−０９９８２４−０００００号（２０１０年１１月２９日）「火災避難待避施設」を通じてベランダに折畳み可能なボックス型の施設物を設置して、脱出が不可能な非常時に救助隊によって救助されるまで火炎及び有毒ガスから安全に待避することができる技術を提案した。しかし、このような待避施設は、使わない場合、施設そのものがそのまま外部に露出されて美麗ではないという短所があり、各種金属からなるパネル及びヒンジなどが雨にそのまま露出されて酸化腐食され、耐久性が損傷されるという問題点があった。
【０００６】
また、折畳まれたものを開く作業は、これを熟知していない一般人にとって危急状況で作業しにくい部分があり、構造的に不安定であるという認識を持ちやすいという問題点があった。
【発明の概要】
【発明が解決しようとする課題】
【０００７】
本発明の目的は、火災避難待避施設の見掛けが外部に露出されないようにして、見掛けを改善することができながら、外部の雨水などが内部に浸透することを防止し、また、火災の発生時、非常口やその他の待避施設を利用して待避できなかった場合、救助隊によって救助されるまで火炎及び有毒ガスから安全に待避することができ、使用者に構造的な安定感を感じるようにすると同時に、容易に設置することができ、層間移動が可能な火災避難待避施設を提供することにある。
【課題を解決するための手段】
【０００８】
上記の目的を達するために、本発明の好ましい実施例は、ベランダの手摺りの一側に装着されて、ボックス型に折畳まれ、火災などの危急状況で、内部に待避することができる火災避難待避施設において、四角フレーム形状で、ベランダの手摺りに固定され、正面に装着されて、スライド方式で開閉され、正面に突出された取っ手を備える一対の入口ドアを備え、上面には垂直に貫通された一対の第１梯子固定孔が形成されるフレームと；フレームの後方で四角板形状に構成され、外周に沿って前方に垂直折曲される係止段差部が形成され、中央に出口ドアが形成される背面パネルと；垂直二等分される第１側面パネル及び第２側面パネルからなり、各側面パネルは互いに数個の第１蝶番によって対応する内側に折畳み可能に連結され、前方及び後方はそれぞれ数個の第２、３蝶番によってフレームの内側後方及び背面パネルの一側端と折畳み可能に連結される二つの側面パネルと；フレームの内側下端に形成される数個の第４蝶番に一側端が装着され、貫通された少なくとも一つ以上の空気流入孔及びこれを開閉可能な開閉板が形成され、四角板形状に構成され、一側で押した時、スライド式に底面一部を開放する下部スライドドアを備え、この下部スライドドアで上記入口ドア側には垂直に貫通された一対の第２梯子固定孔が形成され、開いた時、上記背面パネルの下端に位置した係止段差部に係止されて底面を構成する底面パネルと；フレームの内側の上端に形成される数個の第５蝶番に一側端が装着され、四角板形状に構成されて、一側で押した時、スライド式に底面一部を開放する上部スライドドアを備え、開いた時、背面パネルの上端に位置した係止段差部の底面に密着される上面パネルと；入口ドアの内側に備え、上部は前方に曲線を成しながら曲がる挿入フックが形成されて、その端部が上記第２梯子固定孔に挿入され、下端は下層に設置された装置の第１梯子固定孔に挿入される非常梯子とで構成されることを特徴とする。
【発明の効果】
【０００９】
上述したように、本発明はベランダに設置された火災避難待避施設の各種構成品が外部に露出されないで、カバーによってきれいに仕上げられながらもそのまま危急時には用いるようにして、その活用に差し支えなく、見掛けを美麗にし、外部で雨などによる腐食及び損傷を防止するように、特に雨水を遮断して部品の損傷による事故を低減することができるという効果を奏する。
【００１０】
また、火災の時、ベランダに設置された火災避難待避施設に入って火炎及び有毒ガスから安全に待機しながら救助を待つことができ、人々への命の被害を減らすことができ、折畳まれた施設物が普段視野を遮断する部分を最小化しながら堅固な固定フレームによって使用者が構造的及び心理的な安定感を感じることができ、底面パネルは自重によって開かれるが、その反対側の上面パネルが開かれるためのエア吸収体を備えて、少ない力でも容易に設置することができるという効果を奏する。
【００１１】
また、層間移動が可能な状況では、非常梯子を下層に位置した施設物に結合固定して層間移動ができるようにして、既存の防火戸及び非常階段の使用が不可能な場合、容易に避難することができるようにして、命の被害を減らすことができるという効果を奏する。
【図面の簡単な説明】
【００１２】
【図１】本発明の第１実施例を示した図面である。
【図２】本発明の第１実施例を示した図面である。
【図３】本発明の第１実施例を示した図面である。
【図４】本発明の第１実施例を示した図面である。
【図５】本発明の第１実施例を示した図面である。
【図６】本発明の第１実施例を示した図面である。
【図７】本発明の第１実施例を示した図面である。
【図８】本発明の第１実施例を示した図面である。
【図９】本発明の第２実施例を示した図面である。
【図１０】本発明の第２実施例を示した図面である。
【図１１ａ】本発明の第２実施例を示した図面である。
【図１１ｂ】本発明の第２実施例を示した図面である。
【図１２】本発明の第３実施例を示した図面である。
【図１３】本発明の第３実施例を示した図面である。
【図１４ａ】本発明の第３実施例を示した図面である。
【図１４ｂ】本発明の第３実施例を示した図面である。
【図１５】本発明の第４実施例を示した図面である。
【図１６】本発明の第４実施例を示した図面である。
【図１７】本発明の第４実施例を示した図面である。
【図１８】本発明の第４実施例を示した図面である。
【図１９ａ】本発明の第４実施例を示した図面である。
【図１９ｂ】本発明の第４実施例を示した図面である。
【図１９ｃ】本発明の第４実施例を示した図面である。
【図１９ｄ】本発明の第４実施例を示した図面である。
【図１９ｅ】本発明の第４実施例を示した図面である。
【図１９ｆ】本発明の第４実施例を示した図面である。
【図１９ｇ】本発明の第４実施例を示した図面である。
【図２０】本発明の他の実施例による分解斜視図である。
【図２１】本発明の第５実施例を示した図面である。
【図２２】本発明の第５実施例を示した図面である。
【図２３】本発明の第５実施例を示した図面である。
【図２４】本発明の第５実施例を示した図面である。
【図２５】本発明の第５実施例を示した図面である。
【図２６ａ】本発明の第５実施例を示した図面である。
【図２６ｂ】本発明の第５実施例を示した図面である。
【図２６ｃ】本発明の第５実施例を示した図面である。
【図２６ｄ】本発明の第５実施例を示した図面である。
【図２６ｅ】本発明の第５実施例を示した図面である。
【図２６ｆ】本発明の第５実施例を示した図面である。
【図２６ｇ】本発明の第５実施例を示した図面である。
【図２７】本発明の第５実施例を示した図面である。
【図２８ａ】本発明の第５実施例を示した図面である。
【図２８ｂ】本発明の第５実施例を示した図面である。
【図２９ａ】本発明の第５実施例を示した図面である。
【図２９ｂ】本発明の第５実施例を示した図面である。
【図２９ｃ】本発明の第５実施例を示した図面である。
【図２９ｄ】本発明の第５実施例を示した図面である。
【図２９ｅ】本発明の第５実施例を示した図面である。
【発明を実施するための形態】
【００１３】
以下、本発明の構成を添付された図面によって当業者が容易に理解して再現することができるように詳細に説明すれば次の通りである。
【００１４】
図１は本発明の実施例による折畳まれた状態を示した斜視図であり、図２は開いた状態を示した斜視図であり、図３は分解斜視図であり、図４は折畳まれた状態を示した平面図であり、図５は開いた状態を示した平面図である。
【００１５】
図面に示したように、四角フレーム形状で、ベランダ１の手摺り１１に固定され、正面には入口ドア２１を備えるフレーム２と、上記フレーム２の後方に出口ドア３１が形成される背面パネル３と、二つの側面パネル４と、底面パネル５と、上面パネル６とがボックス型に形成されて、蛇腹形式に折畳まれるように形成される火災避難待避施設において、上記フレーム２の外面に密着固定される四角フレーム形状を有し、後方に延長され、後方端部は内側に垂直折曲される第１密着折曲部７１を備える前面カバー７と；上記背面パネル３の背面に固定装着されて、上記出口ドア３１の開閉に差し支えないように貫通された孔８１が形成され、外縁部は前方に垂直折曲され、その端部は内側に垂直折曲されて、上記火災避難待避施設が完全に折畳まれた時、上記第１密着折曲部７１と密着する第２密着折曲部８２を備える後面カバー８とで構成されることを特徴とする火災避難待避施設を示した。
【００１６】
本発明は単純に火災避難待避施設をカバーするための用途であれば各種布やビニールからなるカバーを着せるだけで解決できるが、非常時、即ち火災が発生した状況で、逃げ遅れて待避できなかった状態で火災避難待避施設を利用しようと寸秒を争う状況でカバーをとり除く作業は非常に不便で危ないことである。従って、本発明は装置の機能に邪魔にならないながらも最大限見掛け上良くない部分または保護する部分を保護するための構成である。この時、上記第１密着折曲部７１、第２密着折曲部８２の場合、普段には相互密着されるようにして内部に水が浸透することを低減して、部品の損傷を防止することが好ましい。
【００１７】
図６は本発明の第１拡大実施例による斜視図であり、図７は本実施例による平面図であり、図８は概念図で、上記前面カバー７の上下及び左右面は後方に行くほどその外縁が広がるように傾斜して延長された後再び段差を有して縮小される火炎誘導翼７２をさらに備える実施例を示した。上記実施例は上記火災避難待避施設の場合、熱に耐えることができ、内部に熱が伝達されない断熱部材を含んで製作されるが、直接または間接的な火炎によって内部温度が上昇することは仕方ない現象である。上記火炎誘導翼７２は熱や火炎を上記翼の傾斜面に沿って誘導するようにして、上面パネル６と底面パネル５、特に側面パネル４に作用する熱を減らすことができるようにするために形成した。
【００１８】
図９は本発明の第２拡大実施例による折畳まれた状態を示した平面図であり、図１０は開いた状態を示した平面図であり、図１１ａ及び図１１ｂは側断面図で、上記第１密着折曲部７１、第２密着折曲部８２の中の何れか一つは他の一つよりさらに内側に延長された後、再び垂直に折曲されて小幅延長され、また、外側に垂直に折曲されて形成される排水部８３をさらに備える。
【００１９】
上記実施例は火災避難待避施設を構成する構成品の中で、蝶番のようなものは雨や湿気の多い風などにそのまま露出されると腐食が急激に発生して耐久性を低下させる原因になるため、本発明のカバーはこれを防止するための手段を備えることが好ましい。従って、上記構成のように、浸透された水は排水部８３に集まって外部に流れるようにして問題を解決することができる。
【００２０】
図１２は本発明の第３拡大実施例による折畳まれた状態を示した平面図であり、図１３は開いた状態を示した平面図であり、図１４ａ及び図１４ｂは側断面図で、上記前面カバー７の後方端部に隣接して内側に分岐されて延長された後、再び後方に延長され、その間に背面外周に沿って溝が形成されるようにするシーリング装着リブ７３が形成され、上記後面カバー８の正面端部は内側に垂直折曲されてから再び前方に垂直折曲されて、その端部が上記シーリング装着リブ７３に形成された溝に挿入される結合リブ８４が形成され、上記挿入された結合リブ８４の外面を囲むようにするシーリング部材８が上記シーリング装着リブ７３に挿入されて固定される実施例を提示した。この時、シーリング部材８の形状は四角リング形状を有し、背面に沿って溝が形成された形状であると言える。
【００２１】
上記シーリング部材は、上述したように、漏水と漏気の問題をより積極的に解決することができる方法である。
【００２２】
図１５は本発明の第４実施例による開いた状態を示した斜視図であり、図１６は図１５の開いた状態を示した背面斜視図であり、図１７は分解斜視図であり、図１８は折畳まれた状態を示した斜視図で、ベランダ１’の手摺り１１’の一側に装着されて、ボックス型に折畳まれて、火災などの危急状況で内部に待避することができる火災避難待避施設において、四角フレーム形状で、ベランダ１’の手摺り１１’に固定され、正面には装着されてスライド方式で開閉され、正面に突出された取っ手２１’を備える一対の入口ドア２２’を備えるフレーム２’と；上記フレーム２’の後方で四角板形状に構成され、下端と上端はそれぞれ前方に垂直折曲されて、下部段差３１’及び上部段差３２’を形成し、中央には外部で開放することができる出口ドア３３’が形成される背面パネル３’と；垂直二等分される第１側面パネル４１’及び第２側面パネル４２’からなり、上記第１側面パネル４１’及び第２側面パネル４２’は数個の第１蝶番４３’によって折畳み可能に連結され、前方と後方はそれぞれ数個の第２蝶番４４及び第３蝶番４５’によって上記フレーム２’の内側後方及び上記背面パネル３’の一側端と折畳み可能に連結される二つの側面パネル４’と；上記フレーム２’の内側下端に形成される数個の第４蝶番５１’に一側端が装着され、貫通された少なくとも一つ以上の空気流入孔５２’及びこれを開閉可能な開閉板５３’が形成され、開いた時、上記背面パネル３’の下部段差３１’に係止されて底面を構成する底面パネル５’と；上記フレーム２’の内側上端に形成される数個の第５蝶番６１’に一側端が装着され、開いた時、上記背面パネル３’の上部段差３２’の底面に密着される上面パネル６’と；一端は上記背面パネル３’の上部段差３２’の上面に固定され、他側は上記フレーム２’に形成されたガイド孔２３’を貫通し、端部には取っ手部７１’を形成し、全てのパネルが折畳まれた状態で上記ガイド孔２３’を通過した後、垂直の下に折曲されるようにするヒンジ７２’によって二等分された長いバー形状の開閉バー７’とで構成されることを特徴とする火災避難待避施設の構造を示した。
【００２３】
上記の構成は、ベランダ１’の手摺り１１’に固定的に装着されて、火災の発生時、火炎や有毒ガスを避けて臨時的に待避することができ、基本的に不燃性素材を用い、内部は外部と密閉され、外部空気は空気流入孔５２’によって浄化されて流入されるので、有毒ガスが内部に浸透されることが防止される。
【００２４】
より具体的な作動関係の説明は以下の図面に示した動作関係で詳しく説明する。
【００２５】
図１９ａ〜図１９ｇは本発明の第４実施例による使用過程を示した概念図で、上記開閉バー７’が上記一対の入口ドア２２’の間に密着された時、下部には両側取っ手２１’が挿入される挿入溝８１’を備え、上記開閉バー７’及び入口ドア２２’を固定するキープレート８’をさらに備えて、火災の発生時待避できなかった場合、使用者はまずキープレート８’を取り除き、上記開閉バー７’を上記ヒンジ７２’を基準に水平になるように持ち上げた後取っ手７１’を取って押すようにする。
【００２６】
そして、背面パネル３’が後方に押されながら第１蝶番４３’によって折畳まれた側面パネル４’即第１側面パネル４１’及び第２側面パネル４２’が開かれる。このように側面パネル４’が開かれると、第４蝶番５１’によって連結された底面パネル５’は自重によって水平に開かれる。
【００２７】
この時、本発明では上記フレーム２’には内側面に一端が固定され、他端は上記上面パネル６’に固定されて、上面パネル６’が開かれる方向に力が作用するエア吸収体２４’が装着される実施例をさらに提示して、上面パネル６’が別途の力を加えなくても容易に開かれるようにする実施例を示した。
【００２８】
また、他の実施例では上記底面パネル５’の両側の上記側面パネル４’と密着する部分に、摩擦を最小化するための少なくても二つ以上のキャスター５４’がさらに装着される実施例を提示した。
【００２９】
即ち側面パネル４’と底面パネル５’との間に密着された部分によって底面パネルが容易に開かれない問題点を解決する。このように、底面パネル５’と上面パネル６’は開かれながらそれぞれ下部段差３１’と上部段差３２’に密着されて完全にボックス型に開かれ、その後、使用者は入口ドア２２’を通じて内部に入って、地上の人または救助隊によって救助されるまで火炎及び有毒ガスを避けて待避する。
【００３０】
この時、上記空気流入孔５２’には有毒ガスを効果的に遮断することができるエアフィルターを装着することもできる。また、上記背面パネル３’の出口ドア３３’には、救助者が来る前に内部で出口ドア３３’を開ける場合待避者が墜落の危険があるので、外部にロック装置を設置して救助隊がロック装置を解除するまで内部で開かれないようにすることが好ましい。この時、上記底面パネル５’は使用者の荷重を耐えなければならないので、これを補強するために、本発明は上記フレーム２’には内側上端に一側が固定され、他側は底面パネル５’の上記下部段差３１’と密着する両側端に隣接して固定され、その長さは上記底面パネル５’が水平以上に開かれないようにする長さを有するワイヤ２５’がさらに装着され、上記フレーム２’と連結される第１側面パネル４’には長管形状に構成され、底面パネル５’が開いた時上記ワイヤ２５’の経路にあたる対角線に装着されて、内部をワイヤ２５’が貫通するようにするワイヤガイド４６’がさらに装着されるようにして、下部段差３１’の外に荷重を耐えることができる手段をさらに提示した。
【００３１】
図２０は図１９の変形実施例による分解斜視図で、上記それぞれのパネル２、３、４、５、６’の外面には断熱材９’が付着される実施例を示した。
【００３２】
上記実施例は単純に金属だけで構成される場合、火炎の熱気が内部の待避者にそのまま伝達されて、待避者がその熱気によってやけどを負う虞があり、または内部で耐えられない状況になる問題点を解決するために、断熱材９’によって熱が伝逹されないようにした。
【００３３】
図２１は本発明の第５実施例による折畳まれた状態を示した斜視図であり、図２２は開いた状態を示した斜視図であり、図２３は開いた状態を示した背面斜視図であり、図２４は開いた状態を示した底面斜視図であり、図２５は分解斜視図である。
【００３４】
上記図面に示すように、ベランダ１”の手摺り１１”の一側に装着され、ボックス型に折畳まれて、火災などの危急状況で内部に待避することができる火災避難待避施設において、四角フレーム形状で、ベランダ１”の手摺り１１”に固定され、正面に装着されてスライド方式で開閉され、正面に突出された取っ手２１”を備える一対の入口ドア２２”を備え、上面には垂直に貫通された一対の第１梯子固定孔２３”が形成されるフレーム２”と；上記フレーム２”の後方で四角板形状に構成され、外周に沿って前方に垂直折曲される係止段差部３１”が形成され、中央には出口ドア３２”が形成される背面パネル３”と；垂直二等分される第１側面パネル４１”及び第２側面パネル４２”からなり、上記第１側面パネル４１”及び第２側面パネル４２”は互いに数個の第１蝶番４３”によって対応する内側に折畳み可能に連結され、前方及び後方はそれぞれ数個の第２蝶番４４及び第３蝶番４５”によって上記フレーム２”の内側後方及び上記背面パネル３”の一側端と折畳み可能に連結される二つの側面パネル４”と；上記フレーム２”の内側下端に形成される数個の第４蝶番５１”に一側端が装着され、貫通された少なくとも一つ以上の空気流入孔５２”及びこれを開閉可能な開閉板５３”が形成され、四角板形状に構成され、一側で押した時、スライド式に底面一部を開放する下部スライドドア５４”を備え、上記下部スライドドア５４”で上記入口ドア２２”側には垂直に貫通された一対の第２梯子固定孔５５”が形成され、開いた時上記背面パネル３”の下端に位置した係止段差部３１”に係止されて、底面を構成する底面パネル５”と；上記フレーム２”の内側上端に形成される数個の第５蝶番６１”に一側端が装着され、四角板形状に構成されて、一側で押した時、スライド式に底面一部を開放する上部スライドドア６２”を備え、開いた時、上記背面パネル３”の上端に位置した係止段差部３１”の底面に密着される上面パネル６”と；上記入口ドア２２”の内側に備えられ、上部は前方に曲線を成しながら曲がる挿入フック７１”が形成され、その端部が上記第２梯子固定孔５５”に挿入され、下端は下層に設置された装置の第１梯子固定孔２３”に挿入される非常梯子７”とで構成される火災避難待避施設を示した。
【００３５】
上記の構成は、ベランダ１”の手摺り１１”に固定的に装着されて、火災の発生時に、火炎や有毒ガスを避けて臨時的に待避することができ、不燃性素材を用い、内部は外部と密閉され、外部空気は空気流入孔５２”によって浄化されて流入され、有毒ガスが内部に浸透されることを防止した火災避難待避施設で、非常梯子７”を設置して、これを隣接した下層の火災避難待避施設と容易に連結装着して層間移動及び下層の火災避難待避施設としても使用可能である。
【００３６】
より具体的な作動関係の説明は以下の図面に示した動作関係で詳しく説明する。
【００３７】
図２６ａ〜図２６ｇは本発明の実施例による非常待避用途としての使用過程を示した概念図であり、図２７は本発明の実施例による待避状態を示した概念図である。
【００３８】
上記図面で、上記背面パネル３”の前方上端には「Ｕ」字状に分かれた二箇所は後方に延長されて上記背面パネル３”を貫通し、端部に形成される孔にロックキングピン８１”が挿入されて固定されるロッキング部材８２”と；上記フレーム２”の内側上部に固定されて、上記ロッキング部材８２”の前方端部が挿入されるロッキング溝８３”を備えるロッキングブラケット８４”と；上記ロッキングブラケット８４”に回転可能に装着され、一端にはロッキング部材８２”が上記ロッキング溝８３”に進入した時相応して離脱を防止するようにする係止部８５”を備え、他側端にはワイヤ連結部８６”を備える回転リンク８７”と；上記回転リンク８７”のワイヤ連結部８６”に一端が固定されて、上昇した後下降され、端部にはロッキング解除取っ手８８”を備える第１ワイヤ８９”とで構成されるロッキング手段８”をさらに備える実施例を提示した。
【００３９】
上記実施例によれば、上記入口ドア２２”を開いて露出されたロッキング手段８”のロッキング解除取っ手８８”を引っ張ると、上記回転リンク８７”が回転しながら上記ロッキング部材８２”はロッキングブラケット８４”のロッキング溝８３”から離脱する。
【００４０】
そして、背面パネル３”が後方に押されながら第１蝶番４３”によって折畳まれた側面パネル４”つまり第１側面パネル４１”及び第２側面パネル４２”が開かれ、側面パネル４”が開かれると第４蝶番５１”によって連結された底面パネル５”は自重によって水平に開かれる。このような開かれる過程がより容易に行われるようにするために、本発明では上記フレーム２”の内側面に一端が固定され、他側端は上記上面パネル６”に固定されて、上面パネル６”が開かれる方向へ力が作用する一対の第１エア吸収体２４”と；上記フレーム２”の内側面に一端が固定され、他側端は上記底面パネル５”に固定されて、底面パネル５”が開かれる方向へ力が作用する一対の第２エア吸収体２５”と；上記フレーム２”の後方下端に一端が固定され、他側端は後方に位置した第２側面パネル４２”の下端に装着されて、上記第１側面パネル及び第２側面パネル４１”、４２”が開かれる方向へ力が作用する一対の第３エア吸収体２６”とがさらに装着される実施例を提示した。
【００４１】
上記実施例は第１エア吸収体２４”、第２エア吸収体２５”及び第３エア吸収体２６”によって別途の力を加えることなく容易に開かれるようにし、使い方を熟知しない人や力の弱い老弱者及び子供でも容易に使うことができる。
【００４２】
また、このように自動に開かれるようにする構造は、各蝶番にトーションスプリングを装着する方法があり、本発明では上記第１側面パネル４１”及び第２側面パネル４２”を連結する第１蝶番４３”の回転軸には上記第１側面パネル４１”及び第２側面パネル４２”が開かれる方向に力が作用するトーションスプリング４６”が装着される例を提示した。
【００４３】
このように、一連のパネルが開かれると、被救助者は内部に入って地上の人または救助隊によって救助されるまで火炎及び有毒ガスを避けて待避する。この時、上記空気流入孔５２”には有毒ガスを効果的に遮断することができるエアフィルターを装着することもでき、上記入口ドア２２”とフレーム２”の密着面に沿って有害ガス及び煙が内部に侵入されることを防止するガスケット２７”を設置して、入口ドア２２”の隙間に有毒ガスが内部に漏れて入ることを防止することもできる。また、上記背面パネル３”の出口ドア３３”には救助者が来る前に内部で出口ドア３３”を開く場合、待避者が墜落の危険があるので、外部にロック装置を設置して救助隊がロック装置を解除するまで内部で開かれないようにすることが好ましい。
【００４４】
図２８Ａ及び図２８Ｂは本実施例による折畳み過程を示した概念図で、上記第１側面パネル４１”の上端の上記第２側面パネル４２”と隣接する所に一端が固定され、他側端は上記フレーム２”の内側上端中央部分に延長されて、一対のワイヤ貫通孔９１”を通した後下部に垂れ下がる二つの第２ワイヤ９２”と；上記第２ワイヤ９２”の垂れ下がる両端部が固定される取っ手９３”とで構成される折畳み手段９”をさらに備えた構成を示した。
【００４５】
上記実施例は、使用後再び折畳む過程が非常に困難であると思い、墜落の危険があることから、これを防止するための構成を提示した。即ち上記取っ手９３”を引っ張ると、側面パネル４”が折畳まれながら、同時に上面パネル６”と底面パネル５”が折畳まれる力を受けて、引き続き引くと上記ロッキング手段８”のロッキング部材８２”がロッキング溝８３３”に挿入され、回転リンク８７”の係止部８５”が離脱を防止して固定が完了される。
【００４６】
図２９Ａ〜図２９Ｅは本実施例による昇降移動手段の使用過程を示した概念図である。本実施例はまず下層のベランダ１ａ”と隣接した上層のベランダ１ｂ”に火災避難待避施設が備えられており、下層は火災や有毒ガスによる危険は少ないが、非常口やその他層間移動手段への利用が不可能な時、まず上層の火災避難待避施設を広げ、底面パネル５”の下部スライドドア５４”を開いた後上記非常梯子７”の上端挿入フック７１”を第２梯子固定孔５５”に挿入し、下端は下層に位置した火災避難待避施設のフレーム２”に形成された第１梯子固定孔２３”に挿入して固定する。その後、被救助者は非常梯子７”を利用して下に下りて、他の経路で待避することができる。
【００４７】
下層にも適当な待避手段がない場合、被救助者は非常梯子７”で下りて、下層に位置した火災避難待避施設の上面で上記ロッキング手段８”のロッキングピン８１”を抜けば下層の火災避難待避施設が開かれ、上面パネル６”の上部スライドドア６２”を開いて内部に避難することができ、このような方法を繰り返してビルの下まで下りることもできる。
【符号の説明】
【００４８】
１”  ベランダ
２”  フレーム
３”  背面パネル
４”  側面パネル
５”  底面パネル
６”  上面パネル
７”  非常梯子
８”  ロッキング手段
【図１】
2014520225.tif 000003
【図２】
2014520225.tif 000004
【図３】
2014520225.tif 000005
【図４】
2014520225.tif 000006
【図５】
2014520225.tif 000007
【図６】
2014520225.tif 000008
【図７】
2014520225.tif 000009
【図８】
2014520225.tif 000010
【図９】
2014520225.tif 000011
【図１０】
2014520225.tif 000012
【図１１ａ】
2014520225.tif 000013
【図１１ｂ】
2014520225.tif 000014
【図１２】
2014520225.tif 000015
【図１３】
2014520225.tif 000016
【図１４ａ】
2014520225.tif 000017
【図１４ｂ】
2014520225.tif 000018
【図１５】
2014520225.tif 000019
【図１６】
2014520225.tif 000020
【図１７】
2014520225.tif 000021
【図１８】
2014520225.tif 000022
【図１９ａ】
2014520225.tif 000023
【図１９ｂ】
2014520225.tif 000024
【図１９ｃ】
2014520225.tif 000025
【図１９ｄ】
2014520225.tif 000026
【図１９ｅ】
2014520225.tif 000027
【図１９ｆ】
2014520225.tif 000028
【図１９ｇ】
2014520225.tif 000029
【図２０】
2014520225.tif 000030
【図２１】
2014520225.tif 000031
【図２２】
2014520225.tif 000032
【図２３】
2014520225.tif 000033
【図２４】
2014520225.tif 000034
【図２５】
2014520225.tif 000035
【図２６ａ】
2014520225.tif 000036
【図２６ｂ】
2014520225.tif 000037
【図２６ｃ】
2014520225.tif 000038
【図２６ｄ】
2014520225.tif 000039
【図２６ｅ】
2014520225.tif 000040
【図２６ｆ】
2014520225.tif 000041
【図２６ｇ】
2014520225.tif 000042
【図２７】
2014520225.tif 000043
【図２８ａ】
2014520225.tif 000044
【図２８ｂ】
2014520225.tif 000045
【図２９ａ】
2014520225.tif 000046
【図２９ｂ】
2014520225.tif 000047
【図２９ｃ】
2014520225.tif 000048
【図２９ｄ】
2014520225.tif 000049
【図２９ｅ】
2014520225.tif 000050
【国際調査報告】
2014520225.tif 000051
2014520225.tif 000052
2014520225.tif 000053
2014520225.tif 000054